(57)【要約】【課題】高帯域幅ワイヤレスネットワーク中における要求衝突を解決するための装置および方法。【解決手段】複数のユーザデバイスの間のプッシュツートーク（ＰＴＴ）通信中に高帯域幅ワイヤレスネットワーク中における拡張アクセスチャネル上の衝突を低減させるための装置および方法。ランダム遅延フィールドが１組のアクセスパラメータに対して導入され、ランダム遅延は、ユーザデバイスがその拡張アクセスチャネルを介してアクセスプローブを基地局に対して送信する準備の整うときに、各ユーザデバイスにおいて生成される。ランダム遅延の終わりに、ユーザデバイスは、拡張アクセスチャネルを介してアクセスプローブを基地局に対して送信する。最大ランダム遅延フィールドは、基地局によって設定されることができる。【選択図】      図６
2009500953.tif 000002
【特許請求の範囲】
【請求項１】
プッシュツートーク通信が複数のユーザデバイスの間で発生する高帯域幅ワイヤレスネットワークにおいてアクセスプローブの衝突を低減させるための方法であって、ここでは、アクセスプローブは、前記複数のユーザデバイスによりリバースチャネル上で基地局に対して送信され、前記方法は、
ユーザデバイスにおいて第１のメッセージを前記基地局から受信することと、なお前記第１のメッセージは最大遅延ファクタを含む；
遅延を生成することと、なお前記生成される遅延はゼロと前記最大遅延ファクタとの間にある；
前記生成された遅延の終わりに、前記リバースチャネル上で前記基地局に対してアクセスプローブを送信すること；
のステップを備える、
方法。
【請求項２】
前記リバースチャネルは、リバース拡張アクセスチャネルである、請求項１に記載の方法。
【請求項３】
前記高帯域幅ワイヤレスネットワークは、符号分割多元接続２０００（ＣＤＭＡ２０００）互換ネットワークである、請求項１に記載の方法。
【請求項４】
ユーザデバイスにおいてページングメッセージを前記基地局から受信することのステップを、さらに備える請求項１に記載の方法。
【請求項５】
プッシュツートーク（ＰＴＴ）通信が複数のユーザデバイスの間で発生する高帯域幅ワイヤレス通信ネットワークにおいて、プッシュツートーク（ＰＴＴ）通信の一部分として、無線信号を、送信すること、およびリモート基地局から受信することができるユーザデバイスであって、
前記高帯域幅ワイヤレス通信ネットワークを介してメッセージを、送信すること、および前記基地局から受信すること、のためのトランシーバと；
前記高帯域幅ワイヤレス通信ネットワークを介してメッセージを前記基地局から受信するための、前記トランシーバと通信状態にあるコントローラと；
前記基地局から受信される通信パラメータを記憶するための、前記コントローラと通信状態にあるストレージユニットと；
ユーザとインターフェースをとるための、前記コントローラと通信状態にあるユーザインターフェースユニットと；
前記ストレージユニットに記憶される通信パラメータに基づいてランダム遅延を生成するためのランダム遅延ジェネレータと、なお前記ランダム遅延ジェネレータは、アクセスプローブが前記基地局に対して送信される前に、前記ランダム遅延を生成する；
を備えるユーザデバイス。
【請求項６】
前記トランシーバは、リバース拡張アクセスチャネルを介して前記メッセージを送信することができる、請求項５に記載のユーザデバイス。
【請求項７】
前記高帯域幅ワイヤレスネットワークは、符号分割多元接続２０００（ＣＤＭＡ２０００）互換ネットワークである、請求項５に記載のユーザデバイス。
【請求項８】
プッシュツートーク（ＰＴＴ）通信が複数のユーザデバイスの間で発生する高帯域幅ワイヤレスネットワークにおいて、アクセスプローブの衝突を低減させるためのコンピュータプログラムが記憶されるコンピュータ読取り可能媒体であって、ここではアクセスプローブは、リバースチャネル上で前記複数のユーザデバイスにより基地局に対して送信され、前記コンピュータプログラムは、通信サーバによって実行されるときに、
ユーザデバイスにおいて第１のメッセージを前記基地局から受信することと、なお前記第１のメッセージは最大遅延ファクタを含む；
遅延を生成することと、なお前記生成された遅延はゼロと前記最大遅延ファクタとの間にある；
前記生成された遅延の終わりに、前記基地局に対してアクセスプローブを前記リバースチャネル上で送信すること；
のステップを実行するコンピュータ命令を備える、
コンピュータ読取り可能媒体。
【請求項９】
前記リバースチャネルは、リバース拡張アクセスチャネルである、請求項８に記載のコンピュータプログラム。
【請求項１０】
前記高帯域幅ワイヤレスネットワークは、符号分割多元接続２０００（ＣＤＭＡ２０００）互換ネットワークである、請求項８に記載のコンピュータプログラム。
【請求項１１】
ユーザデバイスにおいて前記基地局からのページングメッセージを受信することのステップを、さらに備える請求項８に記載のコンピュータプログラム。
【請求項１２】
ＰＴＴ通信が複数のユーザデバイスの間で発生する高帯域幅ワイヤレス通信ネットワークにおいて、プッシュツートーク（ＰＴＴ）通信の一部分として、無線信号を、送信すること、およびリモート基地局から受信することができるユーザデバイスであって、
前記高帯域幅ワイヤレス通信ネットワークを介してメッセージを、送信すること、および前記基地局から受信すること、のための送受信手段と；
前記高帯域幅ワイヤレス通信ネットワークを介してメッセージを前記基地局から受信するための、前記送受信手段と通信状態にある制御手段と；
前記基地局から受信される通信パラメータを記憶するための、前記制御手段と通信状態にあるストレージ手段と；
ユーザとインターフェースをとるための、前記制御手段と通信状態にあるユーザインターフェース手段と；
前記ストレージユニットに記憶される通信パラメータに基づいてランダム遅延を生成するためのランダム遅延生成手段と、なお前記ランダム遅延生成手段は、前記送受信手段がアクセスプローブを前記基地局に対して送信する前に、前記ランダム遅延を生成する；
を備えるユーザデバイス。
【請求項１３】
前記送受信手段は、リバース拡張アクセスチャネルを介して前記メッセージを送信することができる、請求項１２に記載のユーザデバイス。
【請求項１４】
前記高帯域幅ワイヤレスネットワークは、符号分割多元接続２０００（ＣＤＭＡ２０００）互換ネットワークである、請求項１２に記載のユーザデバイス。
【請求項１５】
前記ランダム遅延の終わりに、前記制御手段は、さらに、前記基地局に対してリバース拡張アクセスチャネルを介してアクセスプローブを送信することができる、請求項１２に記載のユーザデバイス。
【請求項１６】
マルチユーザアプリケーションが複数のユーザデバイスによって共用される高帯域幅ワイヤレスネットワークにおいて、アクセスプローブの衝突を低減させるための方法であって、ここでは、アクセスプローブは、前記複数のユーザデバイスによりリバースチャネル上で基地局に対して送信され、前記方法は、
ユーザデバイスにおいて第１のメッセージを前記基地局から受信することと、なお前記第１のメッセージは最大遅延ファクタを含む；
遅延を生成することと、なお前記生成される遅延はゼロと前記最大遅延ファクタとの間にある；
前記生成された遅延の終わりに、前記リバースチャネル上で前記基地局に対してアクセスプローブを送信すること；
のステップを備える、
方法。
【請求項１７】
前記リバースチャネルは、リバース拡張アクセスチャネルである、請求項１６に記載の方法。
【請求項１８】
前記高帯域幅ワイヤレスネットワークは、符号分割多元接続２０００（ＣＤＭＡ２０００）互換ネットワークである、請求項１６に記載の方法。
【請求項１９】
ユーザデバイスにおいてページングメッセージを前記基地局から受信することのステップを、さらに備える請求項１６に記載の方法。
【発明の詳細な説明】
【技術分野】
【０００１】
１．発明の分野
本発明は、一般にワイヤレス電気通信に関し、より詳細にはワイヤレスネットワーク中におけるデータ衝突(data collision)を低減させるためのシステムおよび方法に関する。
【背景技術】
【０００２】
２．関連技術の説明
技術の進歩は、モバイル電話またはワイヤレス通信デバイスを安価に、そしてそれに応じてユビキタスにしてきている。ワイヤレス電気通信デバイスが、より大きな処理能力とストレージを用いて製造されるにつれて、それらのデバイスはまた、より多用途になり、２つまたは１グループの個別ハンドセット(individual handsets)の間の直接無線通信能力を含んだ多数の機能を組み込んでいる。この直接無線通信機能は、一般的に１つのハンドセットを有するユーザが、宛先電話番号をダイアルすることなく、グループのあらかじめ定義された１組のメンバのデバイスと通信することができるようにするプッシュツートーク(push-to-talk)（ＰＴＴ）機能または「ウォーキートーキー(walkie-talkie)」機能として知られている。
【０００３】
ＰＴＴシステムの１つのバージョンにおいては、ハンドセットなどのワイヤレス電気通信デバイスは、ＰＴＴサーバと通信するために１つは発信通信用の、そして１つは着信通信用の２つの周波数を使用する。ＰＴＴシステムは、話をしている人が、話をしながらＰＴＴボタンを押し、次いで行われたときにそれを解放することを必要とする。次いでそのグループ中における任意のリスナ(listener)は、応答させるためにそれらのボタンを押すことができる。このようにして、そのシステムは、どの方向へ信号が伝わるかを決定する。典型的なコンフィギュレーションにおいては、ユーザが、ＰＴＴシステムを使用して受信パーティ(receiving party)または受信パーティのグループに対して呼出しを行うときに、ユーザのハンドセットは、まずそれが送信する準備の整っていることをサーバに通知することにより、リモートサーバに対して要求を行う。そのリモートＰＴＴサーバは、他のパーティが通信チャネルを使用しておらず、チャネルが使用可能であることを検証し、次いでチャネルをユーザに対して割り当てる。ユーザのメッセージは、サーバによって受信され、サーバは、おのおののあらゆる受信パーティのためにメッセージを送信する。メッセージがあらゆる受信パーティに送信された後に、チャネルは、解放され、他のパーティによる使用のための準備が整っている。
【０００４】
上記されたプロセス中において、２人のユーザが、彼らのＰＴＴボタンを同時に押すときには、彼らのそれぞれのユーザデバイスが、単一の基地局に対してアクセスプローブ(access probe)を同時に送信することになる可能性が存在する。そのアクセスプローブが同じ周波数の無線信号と同じ通信チャネルを介して送信される場合、衝突が起こる可能性があり、その基地局は、それらの無線信号を識別することができないであろう。衝突問題は、単一の基地局によってサービスされる(served)複数のユーザデバイスが、その基地局によって送信されるページングメッセージ(paging messages)に対して同時に応答するときに、強調される。ページングメッセージを受信した後に、各ユーザデバイスは、基地局に対してアクセスプローブを返信し、これらのアクセスプローブは、互いに衝突する可能性がある。衝突問題は、特に符号分割多元接続２０００(Code Division Multiple Access 2000)（ＣＤＭＡ２０００）互換ネットワークなどの高帯域幅ワイヤレスネットワーク(high bandwidth wireless network)においては問題である。
【０００５】
したがって、高帯域幅ネットワークにおいて伝送されるアクセスプローブの衝突を低減させる装置および方法を有することが望ましく、本発明が主として対象としているのは、そのような装置および方法である。
【発明の開示】
【０００６】
［概要］
簡潔に説明すると、本発明の装置および方法は、プッシュツートーク（ＰＴＴ）通信が複数のユーザデバイスの間で発生する高帯域幅ワイヤレスネットワークにおいて、リバース拡張アクセスチャネル(reverse enhanced access channel)上での衝突を低減させる。ランダム遅延フィールド(random delay field)が、１組のアクセスパラメータに対して導入され、そのランダム遅延は、アクセスプローブ(access probe)が基地局に送信される前にそのユーザデバイスにおいて生成される。ランダム遅延の終わりに、ユーザデバイスは、アクセスプローブを、そのリバース拡張アクセスチャネルを介して基地局に対して送信する。ランダム遅延フィールドは、基地局によって設定されることができる。
【０００７】
一実施形態においては、本方法は、プッシュツートーク通信が複数のユーザデバイスの間で発生する高帯域幅ワイヤレスネットワークにおいてアクセスプローブの衝突を低減させるためのものであり、ここでアクセスプローブは、リバース拡張アクセスチャネル上を複数のユーザデバイスによって基地局に対して送信される。本方法は、最大遅延ファクタを有する第１のメッセージをユーザデバイスにおいて基地局から受信することと、ゼロと最大遅延ファクタとの間にある遅延を生成することと、生成された遅延の終わりに、リバース拡張アクセスチャネル上で基地局に対してアクセスプローブを送信すること、のステップ(steps)を含んでいる。
【０００８】
別の実施形態においては、プッシュツートーク（ＰＴＴ）通信が複数のユーザデバイスの間で発生する高帯域幅ワイヤレス通信ネットワークにおいて、プッシュツートーク（ＰＴＴ）通信の一部分として、無線信号を、送信すること、およびリモート基地局から受信することができるユーザデバイスが、提供される。ユーザデバイスは、高帯域幅ワイヤレス通信ネットワークを介して、メッセージを、送信すること、および基地局から受信すること、のためのトランシーバと、高帯域幅ワイヤレス通信ネットワークを介してメッセージを基地局から受信するための、トランシーバと通信状態にある(in communication with)コントローラと、基地局から受信される通信パラメータを記憶するための、コントローラと通信状態にあるストレージユニットと、ユーザとインターフェースをとるための、コントローラと通信状態にあるユーザインターフェースユニットと、ストレージユニットに記憶される通信パラメータに基づいてランダム遅延を生成するためのランダム遅延ジェネレータと、を含んでおり、ここでは、ランダム遅延ジェネレータは、トランシーバがリバース拡張アクセスチャネルを介して基地局に対してアクセスプローブを送信する前に、ランダム遅延を生成する。
【０００９】
本装置および本方法は、それらが、ＰＴＴ通信の間、高帯域幅ワイヤレス通信ネットワークにおいて基地局におけるアクセスプローブの衝突を低減させるので、したがって有利である。本発明の他の利点および特徴は、以下に述べられる図面の簡単な説明、本発明の詳細な説明、および特許請求の範囲の再検討後に明らかになるであろう。
【００１０】
［詳細な説明］
この説明において、「通信デバイス(communication device)」と、「ワイヤレスデバイス(wireless device)」と、「ワイヤレス通信デバイス(wireless communication device)」と、「ＰＴＴ通信デバイス(ＰＴＴ communication device)」と、「ハンドヘルドデバイス(handheld device)」と、「ユーザデバイス(user device)」という用語は、交換可能に使用される。「接続パラメータ(connection parameters)」と「アクセスパラメータ(access parameters)」という用語はまた、交換可能に使用される。ここにおいて使用される用語「アプリケーション(application)」は、実行可能なソフトウェアファイル(software files)および非実行可能なソフトウェアファイル、生データ(raw data)、集められたデータ(aggregated data)、パッチ(patches)、および他のコードセグメント、を包含するように意図される。用語「例示的な(exemplary)」は、一例だけが示されることを意味しており、説明される要素または実施形態に対してのどのような好み(preference)も示してはいない。さらに、同様な番号は、いくつかの図全体をとおして同様な要素を指しており、また、冠詞、「１つの(a)」と「その、前記の(the)」は、記述においてそれ以外に特定されていない限り、複数への言及を含んでいる。
【００１１】
概説すると、本システムおよび本方法は、アクセスプローブが送信される前にユーザデバイスにおいてランダム遅延を導入することにより、高帯域幅ワイヤレスネットワーク中におけるＰＴＴ通信においてリバース拡張アクセスチャネル上の衝突を低減させる。ランダム遅延は、基地局によってブロードキャストされる１組のアクセスパラメータ上に導入されるランダム遅延フィールドに従ってチップレベルで生成されることができる。ランダム遅延はまた、ユーザデバイスにおいてランダム遅延の終わりに生成されることもでき、ユーザデバイスは、リバース拡張アクセスチャネルを介して基地局に対してアクセスプローブを送信する。しかしながら、ランダム遅延は、基地局によって設定される最大遅延を超過することはできない。
【００１２】
図１は、通信ネットワーク１００を示している。通信ネットワーク１００は、おのおのが基地局(base station)（ＢＳ）１１０に接続され、通信デバイス１０２［Ａ〜Ｃ］を有するユーザにサービスしている(serving)１つまたは複数の通信タワー(communication tower)１０６を含んでいる。通信デバイス１０２［Ａ〜Ｃ］は、プッシュツートーク通信をサポートするセルラ電話、ページャ、携帯型個人情報端末(personal digital assistant)（ＰＤＡ）、ラップトップコンピュータ、あるいは他のハンドヘルドの、据置型の、またはポータブルな通信デバイスとすることができる。各ユーザによって入力されるコマンドおよびデータは、デジタルデータとして通信タワー１０６へと送信される。通信デバイス１０２を使用するユーザと通信タワー１０６との間の通信は、符号分割多元接続２０００（ＣＤＭＡ２０００）や他の互換性のあるワイヤレス技術など、異なる高帯域幅ワイヤレス技術に基づいたものとすることができる。
【００１３】
ＰＴＴ通信は、通信ネットワーク１００上でデータパケットを介して伝送される。ワイヤレス通信デバイス１０２は、割り当てられた通信チャネル上でオーディオデータパケットを送信し受信する。各デバイス１０２からのデータパケットは、通信タワー１０６から基地局（ＢＳ）１１０へと送信され、パケットデータサービングノード(packet data serving node)（ＰＤＳＮ）１１４へと転送され、このパケットデータサービングノードは、インターネット１２０に接続されることができる。ＰＤＳＮ１１４は、通信ネットワーク１００においてＰＴＴ機能をサポートするサーバ１１６に接続されることができる。オプションとして、基地局１１０とサーバ１１６は、ＰＤＳＮ１１４の一部分とすることができる。サーバ１１６は、そのデバイスからの要求に応じて特定のワイヤレスデバイスに対するＰＴＴ通信の伝送を抑えることもできる。データパケットは、サーバ１１６によって、受信するワイヤレスデバイス１０２へと転送され、ここでオーディオストリームは、データパケット中におけるデータに基づいて構築されることになる。一代替実施形態（図示されず）においては、ＰＤＳＮ１１４は、データだけのネットワークにおいては必要とされないこともある。データパケットは、処理するためにＢＳ１１０によってパケットデータサービングノードおよび／または他のサーバへと送信される。データパケットは、ユーザデータグラムプロトコル／インターネットプロトコル(User Datagram Protocol/Internet Protocol)（ＵＤＰ／ＩＰ）、リアルタイムトランスポートプロトコル(Real-time Transport Protocol)（ＲＴＰ）、伝送制御プロトコル／インターネットプロトコル(Transfer Control Protocol/Internet Protocol)（ＴＣＰ／ＩＰ）、他の適切なプロトコルなど、あらかじめ定義されたプロトコルに従ってワイヤレスデバイス１０２とサーバ１１６との間で伝送される。
【００１４】
通信デバイス１０２Ａにおけるユーザは、ＰＴＴ通信を介して通信１０２Ｂおよび１０２Ｃにおけるユーザと通信することができる。通信デバイス１０２Ａにおけるユーザが、通信デバイス１０２Ｂおよび１０２Ｃにおけるユーザに対して話をするためにＰＴＴ機能をアクティブにするときに、通信デバイス１０２Ｂと１０２Ｃの両方は通信タワー１０６によってページングされることになる。各通信デバイス１０２Ｂおよび１０２Ｃは、ランダム遅延後にそのページングに応答し、それ故にこれらの２つの通信デバイスからの無線信号の衝突の可能性は最小にされる。
【００１５】
図２は、起点となる(originating)ユーザデバイス１０２と、起点となる基地局２０２と、サーバ（グループ通信サーバとして知られてもいる）１１６と、終点となる(terminating)基地局２０４と、２つのターゲットとされるユーザデバイス２０６および２０８との間の相互作用を表す簡略化された図２００を示している。起点となるワイヤレスデバイス１０２は、ＰＴＴ通信に従事する準備が整うときに、起点となる基地局２０２を介してサーバ１１６へと呼出しメッセージを送信する。サーバ１１６は、ＰＴＴ通信についての通信チャネルの使用可能性(availability)を検証し、終点となる基地局２０４を介してターゲットデバイス２０６および２０８にアナウンスメッセージを送信する。アナウンスメッセージは、ターゲットワイヤレスデバイス２０６および２０８の所在が見出されるまで終点となる基地局２０４においてキューに入れられる。終点となる基地局２０４は、制御チャネルまたはページングチャネルを介してターゲットワイヤレスデバイス２０６および２０８に対してページングメッセージを送信する。
【００１６】
ページメッセージを受信した後に、ターゲットワイヤレスデバイス２０６および２０８は、リバース拡張アクセスチャネルを介して、終点となる基地局２０４に対してアクセスプローブを返信する。アクセスプローブは、各ワイヤレスデバイス２０６および２０８が、ランダム遅延を生成し、そのランダム遅延が満了した(expire)後に、送信される。ランダム遅延は、基地局２０４によってブロードキャストされる定期的なメッセージを介して基地局２０４によって設定される最大値を有する。基地局２０４は、そのカバレージ範囲内のすべてのワイヤレスデバイスに対して接続パラメータを伴うオーバーヘッドメッセージを定期的にブロードキャストする。ターゲットワイヤレスデバイス２０６および２０８からアクセスプローブを受信した後に、終点となる基地局２０４は、基地局１１０とターゲットワイヤレスデバイス２０６および２０８との間の通信チャネルをセットアップし、アナウンスメッセージをターゲットワイヤレスデバイス２０６および２０８に対して配信する。ターゲットワイヤレスデバイス２０６および２０８は、アナウンスメッセージに肯定応答し、その肯定応答メッセージは、基地局１１０によってサーバ１１６に対して転送される。ターゲットワイヤレスデバイス２０６および２０８が使用可能であることを確認した後に、サーバ１１６は、起点となるワイヤレスデバイス１０２に対してステータスメッセージを送信する。次いで起点となるワイヤレスデバイス１０２は、ＰＴＴ通信を送信することを開始することができる。
【００１７】
図３は、ワイヤレスハンドセット(wireless handset)１０２の一実施形態のブロック図３００を示している。そのワイヤレスハンドセット１０２は、コントローラ３０２と、ストレージユニット３０４と、ランダム遅延ジェネレータ３０６と、ユーザインターフェースユニット３１０と、プッシュツートークアクティベーションユニット(push-to-talk activation unit)３０８と、トランシーバ３１２と、アンテナ３１４とを含む。コントローラ３０２は、ハードウェア、ソフトウェア、またはそれらの組合せとすることができる。コントローラ３０２は、通信サーバを用いて通信を監視する(oversee)。ストレージユニット３０４は、基地局から受信される接続パラメータまたは通信パラメータを記憶することができる。ランダム遅延ジェネレータ３０６は、基地局から受信される通信パラメータに従って遅延を生成する。ランダム遅延は、ゼロチップ(zero chip)、数チップ(few chips)、あるいは基地局によって設定される最大遅延のように長くてもよく、ここでチップ(chip)は、拡散コードジェネレータ(spreading code generator)の出力ディジット(output digit)として定義される。ＣＤＭＡにおいては、１つの情報「ビット(bit)」は、いくつかの「コードシンボル(code symbols)」へと符号化され、単一の「コードシンボル」は、いくつかの「チップ」へと拡散される。ランダム遅延は、当業者に知られている任意の方法に従って生成されることができる。ユーザインターフェースユニット３１０は、ユーザとの通信のために使用されるスピーカ、マイクロフォン、ディスプレイユニット、プッシュツートークアクティベーションボタン３０８などのハードウェアを制御する。トランシーバ３１２は、通信タワー１０６に対して無線信号を送信し、その通信タワーから無線信号を受信する。コントローラ３０２は、ユーザおよび通信ネットワーク１００から受信されるコマンド、メッセージ、およびデータを解釈する。
【００１８】
基地局１１０は、そのカバレージ区域内のすべてのユーザデバイスに対して接続パラメータを定期的にブロードキャストする。接続パラメータは、オーバーヘッドメッセージにおいてブロードキャストされる。最大ランダム遅延（ＰＲＯ＿ＰＮ＿ＲＡＮ）についてのパラメータを含めて、そのようなパラメータの一例が図４に示される。最大ランダム遅延４０８は、各ユーザデバイスが、基地局に対してアクセスプローブを送り出す前に使用することができるランダム遅延についての上限を示す。
【００１９】
図５は、基地局プロセス５００の一例のフローチャートである。基地局は、ステップ５０２において、他の接続パラメータのうちでもとりわけアクセスプローブを遅延させるために最大遅延を設定し、ステップ５０４において、そのカバレージ範囲内のすべてのユーザデバイスに対してこれらの接続パラメータを有するオーバーヘッドメッセージを定期的にブロードキャストする。最大遅延は、アクセスプローブを基地局に対して送信する前に、ランダム遅延の生成中に受信ユーザデバイスによって使用される。ユーザデバイスによって生成されるランダム遅延は、最大遅延よりも小さいことが好ましい。
【００２０】
接続パラメータを有する定期的なオーバーヘッドメッセージをブロードキャストした後に、ステップ５０６において、基地局は、ユーザデバイスに向けられた任意のメッセージが存在するかどうかを検査する。ユーザがＰＴＴ通信を開始する場合、アナウンスメッセージが、１つまたは複数のターゲットユーザデバイスに対して送信されることになる。基地局のカバレージ中における１つまたは複数のユーザに向けられたアナウンスメッセージが存在する場合、ステップ５０８において、基地局は、１つまたは複数のページングメッセージを送信する。ステップ５１０において、アクセスプローブがユーザデバイスから受信されるときに、ステップ５１２において、基地局は、このユーザデバイスに対する通信チャネルをセットアップし、そのアナウンスメッセージをユーザデバイスに対して送信する。定期的なオーバーヘッドメッセージをブロードキャストすることが、ユーザに対するメッセージを検査することの前として説明されているが、そのシーケンスは、説明の目的のためだけであり、これらのオペレーションは、互いに独立している。
【００２１】
図６は、ユーザデバイスプロセス６００の一実施形態についてのフローチャートである。ステップ６０２において、ユーザデバイスは、基地局から接続パラメータを有するオーバーヘッドメッセージを定期的に受信し、ステップ６０４において、これらの接続パラメータは、ユーザデバイスに記憶される。ユーザデバイスが基地局に対してアクセスプローブを送信する準備の整うときに、チャネル要求に由来するページングメッセージに応答して、あるいはそうでなければ基地局に対してアクセスを要求して、ステップ６０８において、ユーザデバイスは、０と最大遅延との間にあるランダム遅延を生成する。ランダム遅延を生成した後に、ステップ６１２において、ユーザデバイスは、ランダム遅延の満了を待つ。ランダム遅延期間の満了の後に、ステップ６１４において、ユーザデバイスは、アクセスプローブを基地局に対して送信する。各ユーザデバイスによって生成される遅延のランダムな性質のために、各ユーザデバイスは、異なる時刻にそのアクセスプローブを送信し、その結果としてＣＤＭＡ２０００ネットワーク中の基地局におけるアクセスプローブの衝突は、低減させられる。
【００２２】
以下は、本装置および本方法の使用シナリオの簡略化された説明である。ジョン(John)、デイビッド(David)およびメアリー(Mary)は、ＰＴＴ通信グループのメンバであり、彼らのＰＴＴ通信は、高帯域幅のＣＤＭＡ２０００互換ネットワークを介して処理される。彼らのデバイスのおのおのは、絶えず彼らのそれぞれの基地局から接続パラメータを有するメッセージを受信し、これらの接続パラメータは、それぞれの基地局と通信するときに彼らのワイヤレスデバイスによって使用される。ジョンがデイビッドとメアリーの両者に対してＰＴＴ通信を行いたいと望むときに、ジョンはＰＴＴボタンを押し、ＰＴＴ機能をアクティブにする。ユーザデバイスは、基地局を介して呼出し要求メッセージをサーバに対して送信する必要がある。呼出し要求メッセージを送信する前に、ユーザデバイスは、接続パラメータによって設定される最大ランダム遅延よりも小さなランダム遅延を生成する。ランダム遅延期間の終わりに、ユーザデバイスは、アクセスプローブを基地局に対して送信する。基地局がアクセスプローブを受信するときに、基地局は、送信するユーザデバイスを識別し、基地局とユーザデバイスとの間で通信チャネルをセットアップする。次いで呼出し要求メッセージは、その通信チャネル上を基地局に対して送信され、次いでサーバに対して送信される。
【００２３】
サーバは、ジョンのユーザデバイスに対して「発言権(floor)」を認める前にデイビッドとメアリーのアベイラビリティ(availability)を検査する。サーバは、デイビッドとメアリーのデバイスの両方が接続される基地局に対してアナウンスメント(announcement)を送信する。サーバは、ターゲットユーザデバイスに対してアナウンスメントメッセージ(announcement message)を送信する。それらのアナウンスメントメッセージは、ターゲットユーザデバイスにサービスする基地局によって受信され、基地局は、ターゲットユーザデバイスにページングするように進む。基地局からページングチャネルまたは制御チャネルを介してページングメッセージを受信した後に、各ターゲットユーザデバイスは、ランダム遅延を生成し、ランダム遅延の終わりに、リバース拡張アクセスチャネルを介して基地局に対してアクセスプローブを送信する。ランダム遅延が、ターゲットユーザデバイスにおいて異なるので、アクセスプローブは、各ユーザデバイスによって異なる時刻に送信され、受信基地局におけるこれらのアクセスプローブの衝突の可能性は、デイビッドとメアリーのユーザデバイスが同じ無線周波数を用いてアクセスプローブを送信するときに低減させられる。アクセスプローブが受信された後に、基地局は、各ユーザデバイスに対する通信チャネルをセットアップし、各ユーザデバイスに対してアナウンスメントメッセージを送信する。ターゲットデバイスの使用可能性を確認した後に、サーバは、ジョンのユーザデバイスに対して発言権を認めることになり、次いでＰＴＴ通信は、開始することができる。
【００２４】
本装置および本方法は、ＰＴＴ通信中におけるアクセスプローブの衝突を解決することとして説明されてきているが、同じ衝突は、拡張アクセスチャネルを使用する高帯域幅ワイヤレスネットワーク上で実行される他のマルチユーザアプリケーションについても起こる可能性がある。同時に、あるいはほとんど同時に、ワイヤレスネットワーク上でのオンラインゲーム中におけるなど、ワイヤレスネットワーク上で基地局と通信する複数のユーザを伴うマルチユーザアプリケーションは、ＰＴＴ通信のようなアクセスプローブの衝突の問題に直面することになる。ランダム遅延を追加することはまた、これらのアプリケーションについての衝突も低減させることになる。
【００２５】
ワイヤレスサービスプロバイダのコンピュータデバイスまたはワイヤレス通信デバイス上で実行可能な方法を考慮すると、本方法は、コンピュータ読取り可能媒体中に存在するプログラムによって実行されることができ、ここでそのプログラムは、本方法のステップを実行するようにコンピュータプラットフォームを有するサーバまたは他のコンピュータデバイスに指示する。コンピュータ読取り可能媒体は、サーバのメモリとすることもでき、あるいは結合データベース(connective database)中に存在することもできる。さらにコンピュータ読取り可能媒体は、磁気ディスクまたは磁気テープ、光ディスク、ハードディスク、フラッシュメモリ、当技術分野において知られているような他のストレージ媒体などのワイヤレス通信デバイスのコンピュータプラットフォーム上にロード可能な二次ストレージ媒体中に存在することもできる。
【００２６】
図５〜６の場合に、説明されたステップは、アクションの特定のどのような順序も必要としてはおらず、あるいは意味してはいない。それらのアクションは、順々に、あるいは並列に実行されてもよい。本方法は、例えば、機械読取り可能命令のシーケンスを実行するように、ワイヤレス通信デバイスやサーバなど、ワイヤレスネットワークの１つ（または複数）の部分を動作させることにより、インプリメントされることができる。それらの命令は、様々なタイプの信号を保持する(signal-bearing)、またはデータストレージの一次媒体、二次媒体、または三次媒体中に存在することができる。本媒体は、例えば、ワイヤレスネットワークのコンポーネントによってアクセス可能な、あるいはそれらのコンポーネント内に存在するＲＡＭ（図示されず）を備えることができる。ＲＡＭ、ディスケット、あるいは他の二次ストレージ媒体に含まれようと、それらの命令は、ＤＡＳＤストレージ（例えば、従来の「ハードドライブ」またはＲＡＩＤアレイ）、磁気テープ、電子読取り専用メモリ（例えば、ＲＯＭ、ＥＰＲＯＭ、またはＥＥＰＲＯＭ）、フラッシュメモリカード、光ストレージデバイス（例えば、ＣＤ−ＲＯＭ、ＷＯＲＭ、ＤＶＤ、デジタル光テープ）、紙「パンチ」カード、デジタル伝送媒体およびアナログ伝送媒体を含めて他の適切なデータストレージなど、様々な機械読取り可能データストレージ媒体上に記憶されることができる。
【００２７】
本発明は、その好ましい実施形態を参照して示され説明されているが、形態および詳細における様々な変更が、添付の特許請求の範囲において記述される本発明の趣旨および範囲を逸脱することなく行われることができる、ということは、当業者によって理解されるであろう。さらに、本発明の要素は、単数の形で説明され特許請求されることがあり得るが、単数への限定が明示的に述べられていない限り、複数も意図されている。
【図面の簡単な説明】
【００２８】
【図１】通信ネットワークの例示の一実施形態を示す図である。
【図２】ＰＴＴ通信についてのセットアッププロセス中におけるサーバとワイヤレスデバイスとの間の相互作用を表す図である。
【図３】ワイヤレスデバイスのアーキテクチャの例示の一実施形態を示す図である。
【図４】接続パラメータを伴うメッセージの例示の一実施形態を示す図である。
【図５】アクセスプローブの衝突を回避する基地局プロセスの例示の一実施形態を示す図である。
【図６】アクセスプローブの衝突を回避するワイヤレスデバイスプロセスの例示の一実施形態を示す図である。
【図１】
2009500953.tif 000003
【図２】
2009500953.tif 000004
【図３】
2009500953.tif 000005
【図４】
2009500953.tif 000006
【図５】
2009500953.tif 000007
【図６】
2009500953.tif 000008
【国際調査報告】
2009500953.tif 000009
2009500953.tif 000010
2009500953.tif 000011